(57)【要約】【課題】観察しようとするレントゲンフィルムの大きさに応じて、該レントゲンフィルムの大きさに対応した領域を照明するようにし、必要以上の部位を照明することなく、レントゲンフィルムをより正確に観察することができるようにする。【解決手段】フィルムビュアー１は、光源を内蔵し、該光源からの光を透過する半透明板の表面３を有する匡体１から成り、前記半透明板の表面３にレントゲン撮影したフィルム６1，６2を保持して該フィルムの診断を行う。光源を複数有し、診断されるフィルム６1，６2の大きさに応じて点灯される光源の数を変えるようにし、観察されるフィルム６1，６2に対応した領域のみを照明するようにした。【選択図】図２
2007181520.tif 000002
【特許請求の範囲】
【請求項１】
光源を内蔵し、該光源からの光を透過する半透明板の表面を有する匡体から成り、前記半透明板の表面にレントゲン撮影したフィルムを保持して該フィルム診断を行うフィルムビュアーにおいて、前記光源を複数有し、診断されるフィルムの大きさに応じて点灯される光源の数を変えるようにしたことを特徴とする歯科用フィルムビュアー。
【請求項２】
前記点灯される光源は、診断されるフィルムに対向する領域に配設されている光源であることを特徴とする請求項１に記載の歯科用フィルムビュアー。
【請求項３】
前記光源は、前記匡体内において、水平方向に平行に配設された複数本の蛍光灯であり、小サイズのフィルムを観察するときは、該フィルムの垂直方向の長さに対応する何本かの蛍光灯が点灯されることを特徴とする請求項１又は２に記載の歯科用フィルムビュアー。
【請求項４】
前記光源は、前記匡体内において前記半透明板の表面に対向して配設された多数個の白色発光のＬＥＤであり、発光させるＬＥＤを観察されるフィルムに対向した領域のみとしたことを特徴とする請求項１又は２に記載の歯科用フィルムビュアー。
【請求項５】
前記発光させるＬＥＤの組み合せ個数を変えることにより照度を変えることが可能であることを特徴とする請求項４に記載の歯科用フィルムビュアー。
【発明の詳細な説明】
【技術分野】
【０００１】
本発明は、歯科用フィルムビュアー、より詳細には、歯科治療において、歯牙や歯顎を撮影した大きさの異なるレントゲン写真フィルムを観察（診断）するのに適した歯科用フィルムビュアーに関する。
【背景技術】
【０００２】
図３は、従来の歯科用フィルムビュアーの一例を説明するための図で、図３（Ａ）は正面図、図３（Ｂ）は図３（Ａ）のＢ−Ｂ線断面図で、図中、１は蛍光灯等から成る光源２1〜２4を内蔵する匡体、３は該匡体１の表面壁の一部を構成する半透明板、４は前記半透明板３の上辺に沿って配設されたフィルム押え板、５は該フィルム押え板４の止めネジ、６（６ａ，６ｂ）はレントゲンフィルム（６ａはデンタルサイズ、６ｂはパノラマサイズ）、７は光源をオン、オフするためのスイッチで、レントゲンフィルム６を読み取る場合、図に示すように、フィルム押え板４と半透明板（匡体表面）３との間にフィルム６を差し込んで固定し、フィルム６の裏側から半透明板３を通して光を当ててフィルムを透かして見るようにしているが、その際、領域Ｉにはデンタルサイズ（３１×４１ｍｍ）のフィルム６ａを、領域IIはパノラマサイズ（１５０（縦）×３００（横）ｍｍ）のフィルム６ｂを取り付けるようにしている。
【発明の開示】
【発明が解決しようとする課題】
【０００３】
上述のように、フィルムビュアーは、レントゲン撮影されたフィルムを透かして観察するのに使用して好適なものであるが、歯科用フィルムビュアーにおいては、個々の歯牙を撮影したデンタルサイズのフィルムと全顎を撮影したパノラマサイズのフィルタとでは、その大きさが異なるのにもかかわらず、従来の歯科用フィルムビュアーは、デンタルサイズのフィルム写真を観察する時でも、全光源を点灯するようにしており、必要以上の面積を照らすため、観察しようとするフィルムの周囲が明るくなって、観察しにくいといった問題があった。
【課題を解決するための手段】
【０００４】
上記課題を解決するために、請求項１の発明は、光源を内蔵し、該光源からの光を透過する半透明板の表面を有する匡体から成り、前記半透明板の表面にレントゲン撮影したフィルムを保持して該フィルム診断を行うフィルムビュアーにおいて、前記光源を複数有し、診断されるフィルムの大きさに応じて点灯される光源の数を変えるようにしたことを特徴としたものである。
【０００５】
請求項２の発明は、請求項１の発明において、前記点灯される光源は、診断されるフィルムに対向する領域に配設されている光源であることを特徴としたものである。
【０００６】
請求項３の発明は、請求項１又は２の発明において、前記光源は、前記匡体内において、水平方向に平行に配設された複数本の蛍光灯であり、小サイズのフィルムを観察するときは、該フィルムの垂直方向の長さに対応する何本かの蛍光灯が点灯されることを特徴としたものである。
【０００７】
請求項４の発明は、請求項１又は２の発明において、前記光源は、前記匡体内において前記半透明板の表面に対向して配設された多数個の白色発光のＬＥＤであり、発光させるＬＥＤを観察されるフィルムに対向した領域のみとしたことを特徴としたものである。
【０００８】
請求項５の発明は、請求項４の発明において、前記発光させるＬＥＤの組み合せ個数を変えることにより照度を変えることが可能であることを特徴としたものである。
【発明の効果】
【０００９】
本発明によると、観察しようとするレントゲンフィルムの大きさに応じて、照明される面積を変え、レントゲンフィルムの周囲を照らさないようにしたので、レントゲンフィルムの観察が非常に楽になった。
【発明を実施するための最良の形態】
【００１０】
図１（Ａ）は、本発明による歯科用フィルムビュアーの一実施形態を示す要部外観図で、図中、１はフィルムビュアー本体（匡体）で、図１（Ａ）に示した例においては、該匡体１に光源２として複数本の蛍光灯２1〜２nが水平方向に配設されており、例えば、デンタルサイズのレントゲンフィルムを観察する時は、上側の蛍光灯、例えば、２1の１灯又は２1と２2の２灯を点灯し、パノラマサイズのレントゲンフィルムを観察する時は、全蛍光灯を点灯する。なお、この図１（Ａ）に示す例において、デンタルサイズのフィルム６を観察する場合、フィルムの押え板４で保持できる枚数に関係なく、フィルム６の垂直方向の長さに対応して１本（２1）又は２本（２1及び２2）の蛍光灯を点灯することにより、従来、全蛍光灯を点灯していた場合と比較して、点灯する蛍光灯の数を減少させることができる。
【００１１】
図１（Ｂ）は、本発明による歯科用フィルムビュアーの他の実施形態を示す要部外観図で、この実施形態は、光源としてＬＥＤを用いたもので、匡体１内には、横方向に２11〜２n1のｎ個、縦方向に２11〜２1mのｍ個のＬＥＤ（全体でｍ×ｎ個のＬＥＤ）を有し、これらを必要に応じて所望数点灯するようにしたもので、この場合、特に、デンタルサイズのレントゲンフィルムを観察する場合、観察しようとするレントゲンフィルムのサイズに応じて点灯するＬＥＤの数を選択するようにすることができ、例えば、観察しようとするレントゲンフィルムの上下左右を暗くすることができ、より効果的にレントゲンフィルムを観察することができる。
【００１２】
図１（Ａ）、図１（Ｂ）において、８は蛍光灯又はＬＥＤの明るさを調整するためのスイッチで、例えば、該スイッチ８を押すことによって、例えば、蛍光灯においては印加電圧を変え、ＬＥＤにおいては発光するＬＥＤの密度を変えること等によって、照度（明るさ）を変えることができる。また、９（９1，９2，９3）は照明する領域を決めるためのスイッチで、例えば、図１（Ａ）に示す蛍光灯の場合、スイッチ９1を押すことによって一番上の蛍光灯２1を点灯し、スイッチ９2を押すことによって、第２番の蛍光灯２2を点灯し、スイッチ９3を押すことによって、全蛍光灯を点灯させる等、必要に応じた数及び場所の蛍光灯を点灯する。
【００１３】
同様に、図１（Ｂ）の場合においても、例えば、スイッチ９1を１回押すことによって、上段の行のＬＥＤが選択され、２回押すことによって上段と次段の行のＬＥＤが選択され、スイッチ９2を１回押すことによって左側の第１列目のＬＥＤが選択され、２回押すことにとって第１列目と第２列目のＬＥＤが選択される等、これらスイッチの操作によって点灯されるＬＥＤの領域を観察されるレントゲンフィルムの対応領域に合せることができるようになっている。
【００１４】
図１（Ａ）、図１（Ｂ）に示した例は、フィルムビュアー本体１の表示面３にフィルム押え板４を取り付けるようにした例を示したが、図１（Ｃ）に示すように、フィルムビュアー本体１の表面に懸架可能な半透明板のカバー部材１０を設け、このカバー部材１０にフィルム押え板４を設けるようにしてもよい。
【００１５】
図２は、図１（Ｂ）に示したフィルムビュアーを使用している時の状態を示す図で、この場合、デンタルサイズのレントゲンフィルム６1と６2を観察しているが、それぞれ、観察しようとしているフィルムに対応する領域のみのＬＥＤが点灯され、当該領域のみが照明されるので、レントゲンフィルムの周囲が暗く、レントゲンフィルムをより明確に観察することができる。
【００１６】
以上に説明したように、本発明によると、歯科用レントゲンフィルムビュアーにおいて、観察しようとするレントゲンフィルムの大きさに応じて、該レントゲンフィルムの大きさに対応した領域を照明するようにしたので、必要以上の部位を照明することなく（レントゲンフィルムの周囲が暗いので）、レントゲンフィルムをより正確に観察することができ、しかも、周囲に眩しさを与えず、診療室内の雰囲気を和らげることができる。
【図面の簡単な説明】
【００１７】
【図１】本発明による歯科用フィルムビュアーの実施形態を示す要部外観図である。
【図２】図１（Ｂ）に示したフィルムビュアーを使用している時の状態を示す図である。
【図３】従来の歯科用フィルムビュアーの一例を説明するための図である。
【符号の説明】
【００１８】
１…フィルムビュアー本体（匡体）、２…光源、２1〜２n…蛍光灯、２11〜２nm…ＬＥＤ、３…半透明板の表面、４…フィルム押え板、５…フィルム板止めネジ、６，６1，６2…レントゲンフィルム、７，８，９（９1〜９3）…スイッチ、１０…カバー部材。
【図１】
2007181520.tif 000003
【図２】
2007181520.tif 000004
【図３】
2007181520.tif 000005